(57)【要約】【課題】ドライバーの快適性をより向上させることを可能にする。【解決手段】情報の種別を示す情報種別識別子を含む運行方針関連情報を配信する路側機１と、路側機１から配信される運行方針関連情報を受信する車載無線器２と、を含み、車載無線器２で受信した運行方針関連情報に含まれる情報種別識別子に応じて報知の要否を判断し、報知を行うことが必要である旨の判断を行った場合に、当該運行方針関連情報に従った報知を行う。【選択図】図２
2010165122.tif 000002
【特許請求の範囲】
【請求項１】
車両外から配信された情報に従って車両のドライバーに報知を行う車両用情報報知システムであって、
前記車両の外に設置され、前記車両の運行方針に関連する情報であるとともに情報の種別を示す識別子としての情報種別識別子を含む情報である運行方針関連情報を配信する情報配信装置と、
前記車両に搭載され、前記情報配信装置から配信される情報を受信する車載無線器と、を含み、
前記車載無線器で受信した運行方針関連情報に含まれる情報種別識別子に応じて報知の要否を判断し、報知を行うことが必要である旨の判断を行った場合に、当該運行方針関連情報に従った報知を行うことを特徴とする車両用情報報知システム。
【請求項２】
前記車載無線器は、
前記車載無線器で受信した運行方針関連情報に含まれる情報種別識別子に応じて報知の要否を判断する報知要否判断部と、
前記報知要否判断部で報知を行うことが必要である旨の判断を行った場合に、当該運行方針関連情報に従った報知を行う報知部と、を備えることを特徴とする請求項１に記載の車両用情報報知システム。
【請求項３】
前記車両内において前記車載無線器と無線および有線のうちのいずれかで接続されることによって前記車載無線器との通信が可能な外部接続機器をさらに含み、
前記車載無線器は、
前記車載無線器で受信した運行方針関連情報に含まれる情報種別識別子に応じて報知の要否を判断する報知要否判断部と、
前記報知要否判断部で報知を行うことが必要である旨の判断を行った場合に、当該運行方針関連情報を前記外部接続機器に送信する情報送信部を備え、
前記外部接続機器は、
前記情報送信部から送信される運行方針関連情報を受信する情報受信部と、
前記情報受信部で受信した運行方針関連情報に従った報知を行う報知部と、を備えることを特徴とする請求項１に記載の車両用情報報知システム。
【請求項４】
前記車両内において前記車載無線器と無線および有線のうちのいずれかで接続されることによって前記車載無線器との通信が可能な外部接続機器をさらに含み、
前記車載無線器は、
前記車載無線器で受信した運行方針関連情報を前記外部接続機器に送信する情報送信部を備え、
前記外部接続機器は、
前記車載無線器から送信される運行方針関連情報を受信する情報受信部と、
前記情報受信部で受信した運行方針関連情報に含まれる情報種別識別子に応じて報知の要否を判断する報知要否判断部と、
前記報知要否判断部で報知を行うことが必要である旨の判断を行った場合に、当該運行方針関連情報に従った報知を行う報知部と、を備えることを特徴とする請求項１に記載の車両用情報報知システム。
【請求項５】
前記報知部で行う報知の機能の制限の有無を切り替える機能制限部をさらに備え、
前記機能制限部によって前記報知の機能が制限されている場合であっても、前記報知要否判断部で報知を行うことが必要である旨の判断を行った場合には、前記制限を一時解除して前記報知部で報知を行わせることを特徴とする請求項２〜４のいずれか１項に記載の車両用情報報知システム。
【請求項６】
前記機能制限部によって前記報知の機能が制限されていない場合には、
前記報知要否判断部で報知の要否を判断せずに、前記情報配信装置から配信された運行方針関連情報に従った報知を前記報知部で行わせることを特徴とする請求項５に記載の車両用情報報知システム。
【請求項７】
前記報知部は、音声およびブザー音のうちの少なくともいずれかの出力を行う音声出力部と表示を行う表示部とのうちの少なくともいずれかであることを特徴とする請求項２〜６のいずれか１項に記載の車両用情報報知システム。
【請求項８】
前記情報種別識別子と報知の要否の情報との対応関係を予め格納する対応関係格納部をさらに備え、
前記報知要否判断部は、前記車載無線器で受信した運行方針関連情報に含まれる情報種別識別子をもとに前記対応関係格納部に格納されている前記情報種別識別子と報知の要否の情報との対応関係を参照することによって、当該運行方針関連情報の報知の要否を判断することを特徴とする請求項２〜７のいずれか１項に記載の車両用情報報知システム。
【請求項９】
ユーザーからの操作入力を受け付ける操作入力部をさらに備え、
前記報知要否判断部は、前記操作入力部で受け付けたユーザーからの操作入力に応じて前記対応関係格納部に格納されている前記情報種別識別子と報知の要否の情報との対応関係を変更することを特徴とする請求項２〜８のいずれか１項に記載の車両用情報報知システム。
【請求項１０】
前記情報配信装置は、ＤＳＲＣ路側機であることを特徴とする請求項１〜９のいずれか１項に記載の車両用情報報知システム。
【請求項１１】
前記車載無線器は、ＤＳＲＣ車載器であることを特徴とする請求項１〜９のいずれか１項に記載の車両用情報報知システム。
【請求項１２】
前記外部接続機器は、携帯電話機であることを特徴とする請求項１〜９のいずれか１項に記載の車両用情報報知システム。
【請求項１３】
前記外部接続機器は、ナビゲーション装置であることを特徴とする請求項１〜９のいずれか１項に記載の車両用情報報知システム。
【請求項１４】
前記外部接続機器は、ＰＤＡであることを特徴とする請求項１〜９のいずれか１項に記載の車両用情報報知システム。
【発明の詳細な説明】
【技術分野】
【０００１】
本発明は、車両外から配信された情報に従って車両のドライバーに報知を行う車両用情報報知システムに関するものである。
【背景技術】
【０００２】
従来から、ＤＳＲＣ（dedicated short range communication：狭域無線通信）などの局所的通信手段を用いて車両のドライバーへの情報提供を実施するシステムが知られている。例えば、特許文献１には、路上側に設置されたＤＳＲＣ路側機から走行中の車両に対して、前方交差点や前方カーブの危険情報を送信し、車載器がこの情報を受けてドライバーに情報提供する技術が開示されている。
【０００３】
なお、ＤＳＲＣによって配信する情報としては、例えば交通渋滞に関する情報や、交通事情により道路が利用できない状態であることなどといった車両の安全運転上必要な情報の他、例えばＰＯＩ（point of interest）に代表されるような施設情報や周辺店舗のイベント情報などの、車両での移動を快適にするための情報が提案されている。
【先行技術文献】
【特許文献】
【０００４】
【特許文献１】特開２００１−１０９９９３号公報
【発明の概要】
【発明が解決しようとする課題】
【０００５】
しかしながら、従来の技術では、ＤＳＲＣによって情報を配信する場合には、配信された情報をすべてドライバーに報知することになるので、ドライバーにとって必要性の高い情報だけでなくドライバーにとって必要性の少ない情報も報知し、ドライバーに煩わしさを感じさせるおそれがあった。つまり、ドライバーの快適性を損なうおそれがあった。
【０００６】
本発明は、上記従来の問題点に鑑みなされたものであって、その目的は、ドライバーの快適性をより向上させることを可能にする車両用情報報知システムを提供することにある。
【課題を解決するための手段】
【０００７】
請求項１の車両用情報報知システムは、上記課題を解決するために、車両外から配信された情報に従って車両のドライバーに報知を行う車両用情報報知システムであって、前記車両の外に設置され、前記車両の運行方針に関連する情報であるとともに情報の種別を示す識別子としての情報種別識別子を含む情報である運行方針関連情報を配信する情報配信装置と、前記車両に搭載され、前記情報配信装置から配信される情報を受信する車載無線器と、を含み、前記車載無線器で受信した運行方針関連情報に含まれる情報種別識別子に応じて報知の要否を判断し、報知を行うことが必要である旨の判断を行った場合に、当該運行方針関連情報に従った報知を行うことを特徴としている。
【０００８】
これによれば、車両外の情報配信装置から配信された運行方針関連情報を車載無線器で受信した場合に、運行方針関連情報の種別に応じて運行方針関連情報に従った報知を行ったり、行わなかったりすることが可能になるので、情報配信装置から配信された運行方針関連情報のうちドライバーにとって必要性の高い運行方針関連情報に従った報知だけを選択的に行うことが可能になる。その結果、ドライバーにとって必要性の少ない運行方針関連情報に従った報知を行わないことによってドライバーが煩わしさを感じる状況を発生しにくくし、ドライバーの快適性をより向上させることが可能になる。
【０００９】
また、請求項２の車両用情報報知システムでは、前記車載無線器は、前記車載無線器で受信した運行方針関連情報に含まれる情報種別識別子に応じて報知の要否を判断する報知要否判断部と、前記報知要否判断部で報知を行うことが必要である旨の判断を行った場合に、当該運行方針関連情報に従った報知を行う報知部と、を備えることを特徴としている。
【００１０】
この請求項２のように、情報配信装置から配信された運行方針関連情報の種別に応じた報知の要否の判断、および報知を行うことが必要である旨の判断を行った場合の報知を車載無線器において行わせる態様とすることが可能である。
【００１１】
また、請求項３の車両用情報報知システムでは、前記車両内において前記車載無線器と無線および有線のうちのいずれかで接続されることによって前記車載無線器との通信が可能な外部接続機器をさらに含み、前記車載無線器は、前記車載無線器で受信した運行方針関連情報に含まれる情報種別識別子に応じて報知の要否を判断する報知要否判断部と、前記報知要否判断部で報知を行うことが必要である旨の判断を行った場合に、当該運行方針関連情報を前記外部接続機器に送信する情報送信部を備え、前記外部接続機器は、前記情報送信部から送信される運行方針関連情報を受信する情報受信部と、前記情報受信部で受信した運行方針関連情報に従った報知を行う報知部と、を備えることを特徴としている。
【００１２】
この請求項３のように、情報配信装置から配信された運行方針関連情報の種別に応じた報知の要否を車載無線器において判断し、報知を行うことが必要である旨の判断を行った場合に、報知自体は車載無線器と接続される外部接続機器において行わせる態様とすることが可能である。
【００１３】
また、請求項４の車両用情報報知システムでは、前記車両内において前記車載無線器と無線および有線のうちのいずれかで接続されることによって前記車載無線器との通信が可能な外部接続機器をさらに含み、前記車載無線器は、前記車載無線器で受信した運行方針関連情報を前記外部接続機器に送信する情報送信部を備え、前記外部接続機器は、前記車載無線器から送信される運行方針関連情報を受信する情報受信部と、前記情報受信部で受信した運行方針関連情報に含まれる情報種別識別子に応じて報知の要否を判断する報知要否判断部と、前記報知要否判断部で報知を行うことが必要である旨の判断を行った場合に、当該運行方針関連情報に従った報知を行う報知部と、を備えることを特徴としている。
【００１４】
この請求項４のように、情報配信装置から配信された運行方針関連情報の車載無線器と接続される外部接続機器への送信を車載無線器において行い、運行方針関連情報の種別に応じた報知の要否の判断、および報知を行うことが必要である旨の判断を行った場合の報知を外部接続機器において行わせる態様とすることが可能である。
【００１５】
また、請求項５の車両用情報報知システムでは、前記報知部で行う報知の機能の制限の有無を切り替える機能制限部をさらに備え、前記機能制限部によって前記報知の機能が制限されている場合であっても、前記報知要否判断部で報知を行うことが必要である旨の判断を行った場合には、前記制限を一時解除して前記報知部で報知を行わせることを特徴としている。
【００１６】
報知の機能を制限されている状況とは、例えばドライバーが運転中のために報知や操作の規制を掛けている状況であったり、静かな環境で運転をしたい状況であったりする場合が考えられる。しかしながら、このような状況であっても、車両の安全運転にとって必要な情報についての報知は、必要最小限の報知として強制的に報知を行う必要があると考えられる。
【００１７】
請求項５の構成によれば、機能制限部によって報知の機能が制限されている場合であっても、報知要否判断部で報知を行うことが必要である旨の判断を行った場合には、この制限を一時解除して報知部で報知を行わせるので、報知の機能を制限されている場合であっても、必要最小限の報知を行うことが可能になる。また、請求項５の構成によれば、ドライバーにとって必要性の少ない運行方針関連情報に従った報知は行わせないようにすることができるので、ドライバーが煩わしさを感じる状況を発生しにくくすることができる。
【００１８】
また、請求項６の車両用情報報知システムでは、前記機能制限部によって前記報知の機能が制限されていない場合には、前記報知要否判断部で報知の要否を判断せずに、前記情報配信装置から配信された運行方針関連情報に従った報知を前記報知部で行わせることを特徴としている。
【００１９】
報知の機能を制限されていない状況とは、例えばドライバーが停車中であったり、ドライバーにとって静かな環境で運転をしたい要求の低い状況であったりする場合が考えられる。よって、このような状況では、ドライバーにとって必要性の少ない情報の報知を行っても、ドライバーの快適性を損なうおそれが少ないものと考えられる。
【００２０】
請求項６の構成によれば、機能制限部によって報知の機能が制限されていない場合は、報知要否判断部で報知の要否を判断せずに、情報配信装置から配信された運行方針関連情報に従った報知を報知部で行わせるので、ドライバーにとって必要性の少ない情報の報知を行ってもドライバーの快適性を損なうおそれが少ない場合にのみ、ドライバーにとって必要性の少ない情報の報知を行うことが可能になる。
【００２１】
また、請求項７の車両用情報報知システムでは、前記報知部は、音声およびブザー音のうちの少なくともいずれかの出力を行う音声出力部と表示を行う表示部とのうちの少なくともいずれかであることを特徴としている。
【００２２】
この請求項７のように、報知部として音声やブザー音などの出力を行う音声出力部と表示を行う表示部とのうちの少なくともいずれかを用いる態様としてもよい。
【００２３】
また、請求項８の車両用情報報知システムでは、前記情報種別識別子と報知の要否の情報との対応関係を予め格納する対応関係格納部をさらに備え、前記報知要否判断部は、前記車載無線器で受信した運行方針関連情報に含まれる情報種別識別子をもとに前記対応関係格納部に格納されている前記情報種別識別子と報知の要否の情報との対応関係を参照することによって、当該運行方針関連情報の報知の要否を判断することを特徴としている。
【００２４】
この請求項８のように、報知要否判断部が、車載無線器で受信した運行方針関連情報に含まれる情報種別識別子をもとに情報種別識別子と報知の要否の情報との対応関係を参照することによって当該運行方針関連情報に対応する報知の要否を判断する態様としてもよい。
【００２５】
また、請求項９の車両用情報報知システムでは、ユーザーからの操作入力を受け付ける操作入力部をさらに備え、前記報知要否判断部は、前記操作入力部で受け付けたユーザーからの操作入力に応じて前記対応関係格納部に格納されている前記情報種別識別子と報知の要否の情報との対応関係を変更することを特徴としている。
【００２６】
これによれば、ドライバーなどのユーザーからの操作入力に応じて情報種別識別子と報知の要否の情報との対応関係を変更することが可能になるので、個々のユーザーごとの報知の必要性に応じた情報種別識別子と報知の要否の情報との対応関係を新たに設定し直すことが可能になる。よって、運行方針関連情報に従った報知を、個々のユーザーごとの報知の必要性に応じて選択的に行うことが可能になる。その結果、ドライバーの快適性をさらに向上させることが可能になる。
【００２７】
また、請求項１０の車両用情報報知システムでは、前記情報配信装置は、ＤＳＲＣ路側機であることを特徴としている。
【００２８】
この請求項１０のように、情報配信装置としてＤＳＲＣ路側機を用いる態様としてもよい。
【００２９】
また、請求項１１の車両用情報報知システムでは、前記車載無線器は、ＤＳＲＣ車載器であることを特徴としている。
【００３０】
この請求項１１のように、車載無線器としてＤＳＲＣ車載器を用いる態様としてもよい。
【００３１】
また、請求項１２の車両用情報報知システムでは、前記外部接続機器は、携帯電話機であることを特徴としている。
【００３２】
この請求項１２のように、外部接続機器として携帯電話機を用いる態様としてもよい。
【００３３】
また、請求項１３の車両用情報報知システムでは、前記外部接続機器は、ナビゲーション装置であることを特徴としている。
【００３４】
この請求項１３のように、外部接続機器としてナビゲーション装置を用いる態様としてもよい。
【００３５】
また、請求項１４の車両用情報報知システムでは、前記外部接続機器は、ＰＤＡであることを特徴としている。
【００３６】
この請求項１４のように、外部接続機器としてＰＤＡを用いる態様としてもよい。
【図面の簡単な説明】
【００３７】
【図１】車両用情報報知システム１００の概略的な構成を示すブロック図である。
【図２】路側機１と車載無線器２と外部接続機器３との間でのデータの流れを示すシーケンス図の一例である。
【図３】路側機１と車載無線器２と外部接続機器３との間でのデータの流れを示すシーケンス図の一例である。
【発明を実施するための形態】
【００３８】
以下、本発明の実施形態について図面を用いて説明する。図１は、本発明が適用された車両用情報報知システム１００の概略的な構成を示すブロック図である。なお、図１は、システム中に車載無線機との通信が可能な外部接続機器を含む場合の一例を示している。図１に示す車両用情報報知システム１００は、路側機１、車載無線器２、および外部接続機器３を含んでいる。なお、車載無線器２は車両に搭載されるものであって、車載無線器２を搭載している車両を以降では自車両と呼ぶ。
【００３９】
路側機１は、道路等の車両外の所定の場所に固定されて設置され、路車間通信を行う無線通信装置としての機能を備えている。例えば、路側機１としては、ＤＳＲＣ（dedicated shortrange communication）による路車間通信を行うＤＳＲＣ路側機等がある。また、路側機１から配信される情報としては、例えば、自車両の進行を妨げる可能性のある歩行者や他車両や設置物などの障害物情報、積雪や凍結等の路面情報、事故発生箇所情報、道路規制情報、渋滞情報、信号情報、ＰＯＩ（point of interest）に代表されるような施設情報、周辺店舗のイベント情報等の自車両の運行方針に関連する情報（以下、運行方針関連情報と呼ぶ）がある。よって、路側機１は、請求項の情報配信装置として機能する。なお、路側機１から配信する運行方針関連情報は、例えば、運行方針関連情報を統合的に管理する情報センタから提供される構成としてもよい。
【００４０】
また、路側機１は、運行方針関連情報に、通信サービスのアプリケーションを示すアプリケーション識別子（ＡＩＤ）や当該アプリケーションが扱う配信データの種類を示すデータ識別子（データＩＤ）を含めて配信を行うものとする。以降では、ＡＩＤおよびデータＩＤを情報種別識別子と呼ぶ。なお、ＡＩＤは、社団法人電波産業界が定める標準規格（例えば、ＡＲＩＢ ＳＴＤ−Ｔ７５もしくはＳＴＤ−Ｔ８８）によって定められるものである。
【００４１】
車載無線器２は、路側機１との間で路車間通信を行うものであって、無線部２１、メモリ２２、カードＩ／Ｆ２３、無線器側ＨＭＩ（human machineinterface）２４、無線器側外部Ｉ／Ｆ２５、および無線器側制御部２６を備えている。例えば、車載無線器２としては、ＤＳＲＣ路側機との間でＤＳＲＣによる路車間通信を行うＤＳＲＣ車載器等がある。
【００４２】
まず、無線部２１は、通信によって路側機１との間でデータの送受信を行うものであって、路側機１から配信されてくる運行方針関連情報を受信する。よって、車載無線器２は、請求項の車載無線器として機能する。メモリ２２は、電気的に内容を書き換えることが可能なＥＥＰＲＯＭ（electronically erasable and programmable read only memory）やＦＬＡＳＨ ＲＯＭやＲＡＭによって構成され、各種の情報を記憶する。また、メモリ２２は、後述する情報種別識別子と後述する報知の要否の情報とが対応付けられた対応関係テーブルが予め格納してあるものとする。よって、メモリ２２は、請求項の対応関係格納部として機能する。
【００４３】
カードＩ／Ｆ２３は、ＩＣカードと通信をするインターフェースであって、ＩＣカードに記憶されている情報を読み出すとともに、ＩＣカードに情報を書き込む。また、カードＩ／Ｆ２３は、車載無線器２がＥＴＣ車載器としての機能を果たす場合に、ＥＴＣカードと通信をするのに用いられる。
【００４４】
無線器側ＨＭＩ２４は、ドライバーと車載無線器２との間のコミュニケーションのためのヒューマンマシーンインターフェースであって、操作スイッチ群、ディスプレイやＬＥＤ等の表示装置、スピーカやブザー等の音声出力装置などから構成される。なお、操作スイッチ群としては、例えば上述のディスプレイと一体になったタッチスイッチもしくはメカニカルなスイッチ等が挙げられる。さらに、無線器側外部Ｉ／Ｆ２５は、車載無線器２と外部接続機器３との間の接続インターフェースである。なお、車載無線器２と外部接続機器３との間の接続は、Ｂｌｕｅｔｏｏｔｈ（登録商標）、無線ＬＡＮ、ＷｉＭＡＸ等の無線接続によるものであってもよいし、ＲＳ−２３２Ｃ、ＵＳＢ、車内ＬＡＮ等の有線接続によるものであってもよい。
【００４５】
そして、無線器側制御部２６は、ＣＰＵ、ＲＯＭ、ＲＡＭ、バックアップＲＡＭ、Ｉ／Ｏ等（いずれも図示せず）よりなるマイクロコンピュータを主体として構成され、ＲＯＭに記憶された各種の制御プログラムを実行することで各種の処理を実行するものである。なお、無線器側制御部２６で実行する処理の詳細については後述する。
【００４６】
外部接続機器３は、例えば携帯電話やナビゲーション装置、ＰＤＡ（personal data assistance：携帯情報端末）などのような、車両内において車載無線器２と接続されることによって車載無線器２との通信が可能な外部接続機器であって、接続機器側外部Ｉ／Ｆ３１、接続機器側ＨＭＩ（human machineinterface）３２、および接続機器側制御部３３を備えている。よって、外部接続機器３は、請求項の外部接続機器として機能する。
【００４７】
なお、自車両のバッテリ電源に接続されて電力を供給する電源回路（図示せず）によって車載無線器２の各部位に電力が供給される。
【００４８】
接続機器側外部Ｉ／Ｆ３１は、外部接続機器３と車載無線器２との間の接続インターフェースである。なお、車載無線器２と外部接続機器３との間の接続は、前述したように無線接続によるものであってもよいし、有線接続によるものであってもよい。
【００４９】
接続機器側ＨＭＩ３２は、一般的な携帯電話機に用いられているヒューマンマシーンインターフェースであって、操作スイッチ群、ディスプレイ等の表示装置、スピーカ等の音声出力装置などから構成される。なお、接続機器側ＨＭＩ３２のディスプレイは、接続機器側制御部３３の指示に基づいて、運行方針関連情報に従った案内画面や警告画面などを表示する。また、接続機器側ＨＭＩ３２のスピーカは、接続機器側制御部３３の指示に基づいて、運行方針関連情報に従った案内音声や警告音声などを出力する。
【００５０】
そして、接続機器側制御部３３は、ＣＰＵ、ＲＯＭ、ＲＡＭ、バックアップＲＡＭ、Ｉ／Ｏ等（いずれも図示せず）よりなるマイクロコンピュータを主体として構成され、ＲＯＭに記憶された各種の制御プログラムを実行することで各種の処理を実行するものである。また、接続機器側制御部３３は、周知のマナーモードやドライブモードといった報知の機能の制限を行うモード（以下、機能制限モードと呼ぶ）と報知の機能の制限を行わない通常モードとの設定を切り替える処理も実行する。よって、接続機器側制御部３３は、請求項の機能制限部として機能する。なお、接続機器側制御部３３で実行する処理の詳細については後述する。
【００５１】
次に、図２を用いて、路側機１と車載無線器２と外部接続機器３との間でのデータの流れについての説明を行う。なお、図２は、システム中に車載無線機との通信が可能な外部接続機器を含む場合の一例を示している。図２は、路側機１と車載無線器２と外部接続機器３との間でのデータの流れを示すシーケンス図の一例である。なお、ここでは、路側機１と車載無線器２とが通信可能な位置関係にあるものとして以降の説明を行う。また、ここでは、外部接続機器３が自車両内に存在するとともに、車載無線器２と外部接続機器３とが接続可能な状態にあるものとして以降の説明を行う。なお、車載無線器２と外部接続機器３との間でのデータのやり取りは無線器側外部Ｉ／Ｆ２５および接続機器側外部Ｉ／Ｆ３１を介して行われるが、以下では便宜上これを省略して説明を行う。
【００５２】
まず、車載無線器２の無線器側制御部２６がポーリングを行う（車載無線器がマスタ機器として動作する場合）。また、車載無線器２からのポーリングは、外部接続機器３からこのポーリングに対しての応答がなされるまで定期的に繰り返されるものとする。なお、車載無線器２での処理は、例えば車載無線器２に電力が供給されて車載無線器２が起動したときから開始されるものとする。
【００５３】
続いて、車載無線器２からのポーリングに対して外部接続機器３の接続機器側制御部３３が接続要求を含む応答を行う。そして、この応答に対して無線器側制御部２６が外部接続機器３の設定を確認する設定確認の要求を行う。なお、ここで言うところの設定とは、前述した機能制限モードおよび通常モードを表している。
【００５４】
また、車載無線器２からの設定確認の要求に対して接続機器側制御部３３が、現在設定されているモードが機能制限モードおよび通常モードのうちのいずれであるかを示すモード設定の情報を含む応答を行う。そして、この応答に対して無線器側制御部２６が外部接続機器３に、接続が完了したことを示す通知を行う。また、無線器側制御部２６は、接続が完了したことを示す通知を行った後に、モード設定の情報を例えば無線器側制御部２６のＲＡＭに記憶する。なお、モード設定の情報は、古いモード設定の情報が既に記憶されている場合にはこの古いモード設定の情報に上書きして記憶されるものとする。
【００５５】
なお、本実施形態では、無線器側制御部２６が、接続が完了したことを示す通知を行った後にモード設定の情報を記憶する構成を示したが、必ずしもこれに限らない。例えば、接続が完了したことを示す通知を行う前にモード設定の情報を記憶する構成としてもよい。また、モード設定の情報を無線器側制御部２６のＲＡＭに記憶する構成に限らず、メモリ２２などの他のメモリに記憶する構成としてもよい。
【００５６】
続いて、路側機１から配信される情報種別識別子を含んだ運行方針関連情報を車載無線器２の無線部２１で受信したときに、無線器側制御部２６が、ＲＡＭに記憶されているモード設定の情報を読み出し、モード設定の情報が通常モードを示す情報であるか否かを判定する。なお、路側機１からの運行方針関連情報の配信は、所定の時間ごとに行われるものであってもよいし、路側機１で車両を検知したときに行われるものであってもよい。
【００５７】
そして、モード設定の情報が通常モードを示す情報であると判定した場合には、外部接続機器３に報知内容としての運行方針関連情報を送信するとともに、この運行方針関連情報に従った報知を外部接続機器３で行わせる旨の指示（以下、報知指示と呼ぶ）を外部接続機器３に行う。なお、外部接続機器３に送信する運行方針関連情報は、ディスプレイでの表示用やスピーカでの音声出力用に加工された運行方針関連情報であってもよい。
【００５８】
続いて、運行方針関連情報を受信するとともに報知指示を受けた接続機器側制御部３３は、運行方針関連情報を受信したことを示す通知を、接続機器側ＨＭＩ３２のディスプレイの画面表示やＬＥＤの点灯によって行わせたり、接続機器側ＨＭＩ３２のスピーカからの音声出力によって行わせたりする。さらに、運行方針関連情報を受信するとともに報知指示を受けた接続機器側制御部３３は、運行方針関連情報に従った案内画面や警告画面を接続機器側ＨＭＩ３２のディスプレイに表示させたり、運行方針関連情報に従った案内音声や警告音声を接続機器側ＨＭＩ３２のスピーカから出力させたりする内容報知を行う。
【００５９】
また、モード設定の情報が通常モードを示す情報であると判定しなかった場合（つまり、モード設定の情報が機能制限モードを示す情報であった場合）には、運行方針関連情報に含まれる情報種別識別子に応じて報知の要否を無線器側制御部２６が判断する。よって、無線器側制御部２６は、請求項の報知要否判断部として機能する。詳しくは、無線器側制御部２６が、情報種別識別子をもとに、メモリ２２に格納されている対応関係テーブルを参照し、情報種別識別子に対応する報知の要否の情報を得る。なお、対応関係テーブルには、ＡＩＤと報知の要否の情報とが対応付けられているとともにデータＩＤと報知の要否の情報とが対応付けられている対応関係テーブルが格納されているものとする。
【００６０】
具体例を挙げると、例えば障害物情報、積雪や凍結等の路面情報、事故発生箇所情報、道路規制情報、渋滞情報、信号情報等の車両の安全運転上必要な情報（以下、重要情報と呼ぶ）は、報知の要否の情報のうち報知要を示す情報と対応付けられており、重要情報以外の施設情報や周辺店舗のイベント情報等の車両での移動を快適にするための情報（以下、補助情報と呼ぶ）は、報知の要否の情報のうち報知不要を示す情報と対応付けられている。よって、情報種別識別子が、重要情報を送信する通信サービスのアプリケーションを示すＡＩＤであったり、重要情報を示すデータＩＤであったりした場合には、報知要を示す情報が上述の参照によって得られ、報知が必要である旨の判断が無線器側制御部２６で行われることになる。また、情報種別識別子が補助情報を送信する通信サービスのアプリケーションを示すＡＩＤであったり、補助情報を示すデータＩＤであったりした場合には、報知不要を示す情報が上述の参照によって得られ、報知が不要である旨の判断が無線器側制御部２６で行われることになる。
【００６１】
情報種別識別子が重要情報であった場合には、報知が必要である旨の判断を無線器側制御部２６が行い、外部接続機器３に報知内容としての運行方針関連情報を送信するとともに、この運行方針関連情報に従った報知を外部接続機器３で行わせる旨の指示（以下、報知指示と呼ぶ）を外部接続機器３に行う。よって、無線器側制御部２６および無線器側外部Ｉ／Ｆ２５は、請求項の情報送信部として機能する。
【００６２】
また、運行方針関連情報を受信するとともに報知指示を受けた接続機器側制御部３３は、機能制限モードに設定されていた場合には機能制限モードを一時解除して、運行方針関連情報を受信したことを示す通知を、接続機器側ＨＭＩ３２のディスプレイの画面表示やＬＥＤの点灯によって行わせたり、接続機器側ＨＭＩ３２のスピーカからの音声出力によって行わせたりする。よって、接続機器側制御部３３および接続機器側外部Ｉ／Ｆ３１は、請求項の情報受信部として機能する。さらに、運行方針関連情報を受信するとともに報知指示を受けた接続機器側制御部３３は、運行方針関連情報に従った案内画面や警告画面を接続機器側ＨＭＩ３２のディスプレイに表示させたり、運行方針関連情報に従った案内音声や警告音声を接続機器側ＨＭＩ３２のスピーカから出力させたりする内容報知を行う。よって、接続機器側ＨＭＩ３２は、請求項の報知部、表示部、および音声出力部として機能する。なお、機能制限モードの解除は、例えば運行方針関連情報に従った報知を行う間のみの一時的なものとすればよい。
【００６３】
また、情報種別識別子が重要情報でなかった場合（つまり、補助情報であった場合）には、報知が不要である旨の判断を無線器側制御部２６が行い、接続機器側ＨＭＩ３２での報知を行わせない。
【００６４】
なお、路側機１から配信される運行方針関連情報を車載無線器２の無線部２１で受信する都度、無線器側制御部２６が外部接続機器３に前述の設定確認の要求をし、接続機器側制御部３３からモード設定の情報を含む応答を受ける構成としてもよい。この場合、接続機器側制御部３３から得られたモード設定の最新情報を無線器側制御部２６のＲＡＭに上書きし、モード設定の情報を更新する構成とすればよい。
【００６５】
また、本実施形態では、対応関係テーブルをメモリ２２に予め格納しておく構成を示したが、必ずしもこれに限らない。例えば、対応関係テーブルを無線器側制御部２６のＲＯＭやＲＡＭに予め格納しておく構成としてもよい。
【００６６】
以上の構成によれば、車両外の路側機１から配信された運行方針関連情報を車載無線器２で受信した場合に、運行方針関連情報の種別に応じて運行方針関連情報に従った報知を行ったり、行わなかったりすることが可能になるので、路側機１から配信された運行方針関連情報のうちドライバーにとって必要性の高い運行方針関連情報に従った報知だけを選択的に行うことが可能になる。その結果、ドライバーにとって必要性の少ない運行方針関連情報に従った報知を行わないことによってドライバーが煩わしさを感じる状況を発生しにくくし、ドライバーの快適性をより向上させることが可能になる。
【００６７】
また、外部接続機器３がマナーモードに設定されているなど、報知の機能を制限されている状況とは、例えばドライバーが運転中のために報知や操作の規制を掛けている状況であったり、静かな環境で運転をしたい状況であったりする場合が考えられる。しかしながら、このような状況であっても、車両の安全運転にとって必要な情報やドライバーにとっての必要性が高い重要情報についての報知は、必要最小限の報知として強制的に報知を行う必要があると考えられる。一方、外部接続機器３がマナーモードやドライブモードに設定されていないなど、報知の機能を制限されていない状況とは、例えばドライバーが停車中であったり、ドライバーにとって静かな環境で運転をしたい要求の低い状況である場合が考えられる。よって、このような状況では、ドライバーにとって必要性の少ない補助情報の報知を行っても、ドライバーの快適性を損なうおそれが少ないものと考えられる。
【００６８】
以上の構成によれば、接続機器側制御部３３によって外部接続機器３での報知の機能が制限されているマナーモード設定やドライブモード設定の場合であっても、無線器側制御部２６で報知を行うことが必要である旨の判断を行った場合には、マナーモード設定やドライブモード設定を解除して接続機器側ＨＭＩ３２のディスプレイやスピーカで報知を行わせるので、マナーモード設定やドライブモード設定によって報知の機能を制限されている場合であっても、必要最小限の報知を行うことが可能になる。また、以上の構成によれば、ドライバーにとって必要性の少ない運行方針関連情報に従った報知は行わせないようにすることができるので、ドライバーが煩わしさを感じる状況を発生しにくくすることができる。さらに、以上の構成によれば、接続機器側制御部３３によって報知の機能が制限されていない通常モード設定の場合は、無線器側制御部２６で報知の要否を判断せずに、路側機１から配信された運行方針関連情報に従った報知を接続機器側ＨＭＩ３２のディスプレイやスピーカで行わせるので、ドライバーにとって必要性の少ない情報の報知を行ってもドライバーの快適性を損なうおそれが少ない場合にのみ、ドライバーにとって必要性の少ない情報の報知を行うことが可能になる。
【００６９】
なお、本実施形態では、路側機１から配信された運行方針関連情報の種別に応じた報知の要否を車載無線器２において判断し、報知を行うことが必要である旨の判断を行った場合に、報知自体は車載無線器２と接続される外部接続機器３において行わせる構成を示したが、必ずしもこれに限らない。例えば、路側機１から配信された運行方針関連情報の外部接続機器３への送信を車載無線器２において行い、運行方針関連情報の種別に応じた報知の要否の判断、および報知を行うことが必要である旨の判断を行った場合の報知を外部接続機器３において行わせる構成としてもよい。
【００７０】
以下では、図３を用いて上記他の実施形態における路側機１と車載無線器２と外部接続機器３との間でのデータの流れについての説明を行う。なお、図３は、システム中に車載無線機との通信が可能な外部接続機器を含む場合の一例を示している。図３は、路側機１と車載無線器２と外部接続機器３との間でのデータの流れを示すシーケンス図の一例である。なお、ここでも、路側機１と車載無線器２とが通信可能な位置関係にあるものとして以降の説明を行う。また、ここでも、外部接続機器３が自車両内に存在するとともに、車載無線器２と外部接続機器３とが接続可能な状態にあるものとして以降の説明を行う。なお、車載無線器２と外部接続機器３との間でのデータのやり取りは無線器側外部Ｉ／Ｆ２５および接続機器側外部Ｉ／Ｆ３１を介して行われるが、以下では便宜上これを省略して説明を行う。また、この実施形態では、前述の対応関係テーブルを車載無線器２のメモリ２２の代わりに、外部接続機器３の図示しないメモリに格納しているものとする。なお、ここで言うところの外部接続機器３のメモリとは、前述したのと同様のＥＥＰＲＯＭやＦＬＡＳＨ ＲＯＭであってもよいし、接続機器側制御部３３のＲＯＭやＲＡＭであってもよい。
【００７１】
まず、車載無線器２の無線器側制御部２６がポーリングを行う（車載無線器がマスタ機器として動作する場合）。また、車載無線器２からのポーリングは、外部接続機器３からこのポーリングに対しての応答がなされるまで定期的に繰り返されるものとする。なお、車載無線器２での処理は、例えば車載無線器２に電力が供給されて車載無線器２が起動したときから開始されるものとする。
【００７２】
続いて、車載無線器２からのポーリングに対して外部接続機器３の接続機器側制御部３３が接続要求を含む応答を行う。そして、この応答に対して無線器側制御部２６が外部接続機器３に、接続が完了したことを示す通知を行う。
【００７３】
その後、路側機１から配信される情報種別識別子を含んだ運行方針関連情報を、報知内容として無線器側制御部２６が外部接続機器３に送信する。なお、路側機１からの運行方針関連情報の配信は、所定の時間ごとに行われるものであってもよいし、路側機１で車両を検知したときに行われるものであってもよい。
【００７４】
続いて、車載無線器２から送信される情報種別識別子を含んだ運行方針関連情報を外部接続機器３で受信したときに、接続機器側制御部３３が、現在設定されているモードが通常モードであるか否かを判定する。そして、現在設定されているモードが通常モードであると判定した場合、接続機器側制御部３３は、運行方針関連情報を受信したことを示す通知を、接続機器側ＨＭＩ３２のディスプレイの画面表示やＬＥＤの点灯によって行わせたり、接続機器側ＨＭＩ３２のスピーカからの音声出力によって行わせたりする。さらに、接続機器側制御部３３は、運行方針関連情報に従った案内画面や警告画面を接続機器側ＨＭＩ３２のディスプレイに表示させたり、運行方針関連情報に従った案内音声や警告音声を接続機器側ＨＭＩ３２のスピーカから出力させたりする内容報知を行う。
【００７５】
また、現在設定されているモードが通常モードであると判定しなかった場合（つまり、現在設定されているモードが機能制限モードであった場合）には、運行方針関連情報に含まれる情報種別識別子に応じて報知の要否を接続機器側制御部３３が判断する。よって、接続機器側制御部３３は、請求項の報知要否判断部として機能する。詳しくは、接続機器側制御部３３が、情報種別識別子をもとに、外部接続機器３のメモリに格納されている対応関係テーブルを参照し、情報種別識別子に対応する報知の要否の情報を得て、報知の要否を判断する。
【００７６】
情報種別識別子が重要情報であった場合には、報知が必要である旨の判断を接続機器側制御部３３が行う。そして、報知が必要である旨の判断を接続機器側制御部３３が行った場合には、接続機器側制御部３３は、機能制限モードに設定されていた場合には機能制限モードを一時解除して、運行方針関連情報を受信したことを示す通知を、接続機器側ＨＭＩ３２のディスプレイの画面表示やＬＥＤの点灯によって行わせたり、接続機器側ＨＭＩ３２のスピーカからの音声出力によって行わせたりする。さらに、接続機器側制御部３３は、運行方針関連情報に従った案内画面や警告画面を接続機器側ＨＭＩ３２のディスプレイに表示させたり、運行方針関連情報に従った案内音声や警告音声を接続機器側ＨＭＩ３２のスピーカから出力させたりする内容報知を行う。なお、機能制限モードの解除は、例えば運行方針関連情報に従った報知を行う間のみの一時的なものとすればよい。
【００７７】
また、情報種別識別子が重要情報でなかった場合（つまり、補助情報であった場合）には、報知が不要である旨の判断を接続機器側制御部３３が行い、接続機器側ＨＭＩ３２での報知を行わせない。
【００７８】
以上の構成によっても、運行方針関連情報の種別に応じて運行方針関連情報に従った報知を行ったり、行わなかったりすることが可能になるので、路側機１から配信された運行方針関連情報のうちドライバーにとって必要性の高い運行方針関連情報に従った報知だけを選択的に行うことが可能になる。従って、ドライバーにとって必要性の少ない運行方針関連情報に従った報知を行わないことによってドライバーが煩わしさを感じる状況を発生しにくくし、ドライバーの快適性をより向上させることが可能になる。
【００７９】
また、前述の実施形態では、運行方針関連情報に従った報知を外部接続機器３において行わせる構成を示したが、必ずしもこれに限らない。例えば、路側機１から配信された運行方針関連情報の種別に応じた報知の要否の判断、および報知を行うことが必要である旨の判断を行った場合の報知を車載無線器２において行う構成としてもよい。なお、この更なる他の実施形態では、無線器側ＨＭＩ２４のディスプレイやスピーカによって報知を行う構成とすればよい。また、この場合の機能制限モードに該当するものは、車載無線器２のスリープモード、無線器側ＨＭＩ２４のスピーカの音量ミュート、無線器側ＨＭＩ２４のディスプレイの表示オフ、車載無線器２の電源オフ等になる。また、これらの機能制限は無線器側制御部２６で行うものとする。よって、無線器側制御部２６は、請求項の機能制限部として機能する。
【００８０】
なお、前述の実施形態において、請求項の機能制限部に相当する部材は、請求項の報知部に相当する部材と同一の機器に備えられる。また、請求項の対応関係格納部に相当する部材は、請求項の報知要否判断部に相当する部材と同一の機器に備えられる。そして、請求項の操作入力部に相当する部材も、請求項の報知要否判断部に相当する部材と同一の機器に備えられる。
【００８１】
また、前述の実施形態では、対応関係テーブルには、ＡＩＤと報知の要否の情報とが対応付けられているとともにデータＩＤと報知の要否の情報とが対応付けられている対応関係テーブルが格納されている構成を示したが、必ずしもこれに限らない。例えば、ＡＩＤとデータＩＤとのうち、データＩＤのみが報知の要否の情報と対応付けられている対応関係テーブルが格納されている構成であってもよいし、ＡＩＤとデータＩＤとのうち、ＡＩＤのみが報知の要否の情報と対応付けられている対応関係テーブルが格納されている構成であってもよい
さらに、前述の実施形態では、対応関係テーブルにおいて、重要情報は報知要を示す情報と対応付けられており、補助情報は報知不要を示す情報と対応付けられている構成を示したが、必ずしもこれに限らない。例えば、個々のユーザーに応じて補助情報であっても報知要を示す情報と対応付けられていてもよい。
【００８２】
また、各運行方針関連情報のうちの一部または全部の報知の要否の設定を行う操作入力を無線器側ＨＭＩ２４によってユーザーから受け付けた場合に、無線器側ＨＭＩ２４でユーザーから受け付けた操作入力に応じて無線器側制御部２６が、メモリ２２に格納されている対応関係テーブルの情報種別識別子と報知の要否の情報との対応関係を変更する構成としてもよい。よって、無線器側ＨＭＩ２４は、請求項の操作入力部として機能する。
【００８３】
さらに、各運行方針関連情報のうちの一部または全部の報知の要否の設定を行う操作入力を接続機器側ＨＭＩ３２によってユーザーから受け付けた場合に、接続機器側ＨＭＩ３２でユーザーから受け付けた操作入力に応じて接続機器側制御部３３が、外部接続機器３のメモリに格納されている対応関係テーブルの情報種別識別子と報知の要否の情報との対応関係を変更する構成としてもよい。よって、接続機器側ＨＭＩ３２は、請求項の操作入力部として機能する。
【００８４】
これによれば、ユーザーからの操作入力に応じて対応関係テーブルの情報種別識別子と報知の要否の情報との対応関係を変更することが可能になるので、個々のユーザーごとの報知の必要性に応じた情報種別識別子と報知の要否の情報との対応関係を新たに設定し直すことが可能になる。よって、運行方針関連情報に従った報知を、個々のユーザーごとの報知の必要性に応じて選択的に行うことが可能になる。その結果、ドライバーの快適性をさらに向上させることが可能になる。
【００８５】
また、前述の実施形態では、モード設定が機能制限モードと通常モードとのうちのいずれであるかを判断し、判断結果に応じた処理を行う構成を示したが、必ずしもこれに限らない。例えば、モード設定が機能制限モードと通常モードとのうちのいずれであるかの判断を行わず、運行方針関連情報の情報種別に応じて報知の要否を判断する構成であってもよい。
【００８６】
なお、前述の実施形態では、車載無線器２に接続する外部接続機器３として携帯電話機、ＰＤＡ、ナビゲーション装置などを例示したが、外部接続機器３としては、車載無線器２から送信される運行方針関連情報に従った報知を音声出力や画面表示によって行うことが可能な機器であればよく、例えば車載ディスプレイ等であってもよい。また、ナビゲーション装置や車載ディスプレイなどを外部接続機器３とした場合の機能制限モードに該当するものは、機器のスリープモード、音量ミュート、ディスプレイの表示オフ、機器の電源オフ等になる。
【００８７】
さらに、前述の実施形態では、車載器に運行方針関連情報を配信する情報配信装置として路側機１を用いるとともに、情報配信装置から配信される運行方針関連情報を受信する車載器として車載無線器２を用いる例を示したが、必ずしもこれに限らない。情報配信装置としては、車両外から車両の運行方針に関連する情報を配信する機器であればよく、車載器としてはこの情報配信装置から配信される情報に従った報知を直接的に行うことが可能、もしくは間接的に行わせることが可能な機器であればよい。例えば、情報配信装置としてテレマティクスサービスにおける情報センタのサーバを用いるとともに、車載器としてテレマティクスサービスにおける専用の無線器を用いる構成であってもよい。
【００８８】
また、前述の実施形態では、音声出力と画面表示とのいずれによっても報知が可能な構成を示したが、音声出力と画面表示とのうちのいずれかのみによって報知が可能な構成としてもよい。
【００８９】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９０】
１  路側機（情報配信装置）、２  車載無線器、３  外部接続機器、２１  無線部、２２  メモリ（対応関係格納部）、２４  無線器側ＨＭＩ（報知部、表示部、音声出力部、操作入力部）、２５  無線器側外部Ｉ／Ｆ（情報送信部）、２６  無線器側制御部（報知要否判断部、情報送信部、機能制限部）、３１  接続機器側外部Ｉ／Ｆ（情報受信部）、３２  接続機器側ＨＭＩ（報知部、表示部、音声出力部、操作入力部）、３３  接続機器側制御部（報知要否判断部、情報受信部、機能制限部）、１００  車両用情報報知システム
【図１】
2010165122.tif 000003
【図２】
2010165122.tif 000004
【図３】
2010165122.tif 000005